(57)【要約】【課題】誤飲を防止することが可能な固形製剤包装体を提供する。【解決手段】この発明の固形製剤包装体は、上被覆部１と下被覆部２の間の収容部３に固形製剤４を収容した略長方形の袋状であって、上被覆部１と下被覆部２はイージーオープン性及びヒートシール性を有するものとし、前記収容部３の周縁５において上被覆部１と下被覆部２をヒートシールし、上被覆部１と下被覆部２を剥離することにより開封できるようにしており、上被覆部１と下被覆部２は短辺が３ｃｍ以上の幅を有するとともに、上被覆部１と下被覆部２のいずれか又は両方の厚みを厚くし、意図的に曲げようとしなければ曲がらないようにしている。【選択図】図１
2011037522.tif 000002
【特許請求の範囲】
【請求項１】
上被覆部（１）と下被覆部（２）の間の収容部（３）に固形製剤（４）を収容した略長方形の袋状であって、上被覆部（１）と下被覆部（２）はイージーオープン性及びヒートシール性を有するものとし、前記収容部（３）の周縁（５）において上被覆部（１）と下被覆部（２）をヒートシールし、上被覆部（１）と下被覆部（２）を剥離することにより開封できるようにしており、上被覆部（１）と下被覆部（２）は短辺が３ｃｍ以上の幅を有するとともに、上被覆部（１）と下被覆部（２）のいずれか又は両方の厚みを厚くし、意図的に曲げようとしなければ曲がらないようにしていることを特徴とする固形製剤包装体。
【請求項２】
収容部（３）の周縁（５）の外側に、上被覆部（１）と下被覆部（２）とを剥離するための剥離用つまみ部（６）を設けた請求項１記載の固形製剤包装体。
【発明の詳細な説明】
【技術分野】
【０００１】
この発明は、薬品やサプリメントの錠剤、カプセル剤等の固形製剤を包装した包装体に関するものである。
【背景技術】
【０００２】
従来、薬品やサプリメントの固形製剤の包装態様として、ＰＴＰ（プレススルーパッケージ）包装シートが利用されることが多い。このＰＴＰ包装シートは、固形製剤を個々に密閉できるようにっており、また、ミシン目によって、固形製剤１個分ごとに切り離すことができるため、便利に使用することができる。
【０００３】
しかし、ＰＴＰ包装シートは、固形製剤１個分ごとに切り離すと、小さいため、誤って固形製剤を開封しないまま包装ごと飲み込んでしまうことがあり、体内を傷つけることがあった（非特許文献１）。
【先行技術文献】
【非特許文献】
【０００４】
【非特許文献１】厚生労働省、“ＰＴＰ包装シート誤飲防止対策について”、［平成２２年１１月２日検索］、インターネット＜ＵＲＬ: http://www.kokusen.go.jp/news/data/n-20100915_1.html＞
【発明の概要】
【発明が解決しようとする課題】
【０００５】
そこで、この発明は、誤飲を防止することが可能な固形製剤包装体を提供することを課題とする。
【課題を解決するための手段】
【０００６】
前記課題を解決するため、この発明は次のような技術的手段を講じている。
【０００７】
この発明の固形製剤包装体は、上被覆部１と下被覆部２の間の収容部３に固形製剤４を収容した略長方形の袋状であって、上被覆部１と下被覆部２はイージーオープン性及びヒートシール性を有するものとし、前記収容部３の周縁５において上被覆部１と下被覆部２をヒートシールし、上被覆部１と下被覆部２を剥離することにより開封できるようにしており、上被覆部１と下被覆部２は短辺が３ｃｍ以上の幅を有するとともに、上被覆部１と下被覆部２のいずれか又は両方の厚みを厚くし、意図的に曲げようとしなければ曲がらないようにしたものとしている。
【０００８】
また、収容部３の周縁５の外側に、上被覆部１と下被覆部２とを剥離するための剥離用つまみ部６を設けたものとすることができる。
【発明の効果】
【０００９】
この発明の固形製剤包装体は、上述のような構成を有しており、３ｃｍ以上の幅のある長方形の袋状であり、しかも厚みがあって簡単に折れ曲がらないようになっているため、視覚的、感覚的にそのまま飲めるものと誤認されにくく、また、口の中に入れにくいものとなっているため、誤飲を防止することが可能となっている。
【図面の簡単な説明】
【００１０】
【図１】この発明の実施形態の固形製剤包装体の斜視図である。
【図２】この発明の実施形態の固形製剤包装体の斜視図（開封状態）である。
【図３】この発明の実施形態の断面の説明図である。
【発明を実施するための形態】
【００１１】
以下、この発明の好適な実施形態を、図面を参照して説明する。
【００１２】
図１は、この発明の実施形態の固形製剤包装体の斜視図、図２は、その開封状態の斜視図である。この固形製剤包装体は、上被覆部１と下被覆部２の間の収容部３に固形製剤４を収容した略長方形の袋状であって、上被覆部１と下被覆部２はイージーオープン性及びヒートシール性を有するものとし、前記収容部３の周縁５において上被覆部１と下被覆部２をヒートシールし、上被覆部１と下被覆部２を剥離することにより開封できるようにしており、上被覆部１と下被覆部２は短辺が３ｃｍ以上の幅を有するとともに、上被覆部１と下被覆部２のいずれか又は両方の厚みを厚くし、意図的に曲げようとしなければ曲がらないようにしたものである。
【００１３】
上被覆部１と下被覆部２は、いずれも空気や湿気に対するバリア性が高い合成樹脂製のフィルム等を使用したもので、例えば、図３に示したように上被覆部１と下被覆部２をそれぞれ３層からなるものとすることができる。第１層１a，２a   （表面側の層）は、グラシン紙とすることができる。第２層１ｂ、２ｂ（中間の層）は、厚さ１２ミクロン程度のＰＥＴのフィルムにシリカ又はアルミナ等の透明蒸着を行ったものとすることができる。第３層１ｃ，２ｃ（内側の層）は、イージーオープン性及びヒートシール性を有する適宜の合成樹脂製フィルムとすることができる。前記第１〜３層は、それぞれ上下の層同士が接着しており、全体として収容部３内の固形製剤４が透過して見えるようになっている。
【００１４】
上被覆部１と下被覆部２は、１個の固形製剤４を挟んで互いの４辺ないしその付近をヒートシールしており、このヒートシールされた部分が収容部３の周縁５となっている。収容部３は、周縁５の内側の領域であり、周縁５における上被覆部１と下被覆部２が剥離されるまで密閉状態が保たれるようになっている。
【００１５】
固形製剤４は、各種の薬品や、ビタミンその他の栄養素を含むサプリメントとしている。この実施形態では、固形製剤４を丸い錠剤としているが、カプセル剤とすることもでき、形状は特に限定されない。
【００１６】
この固形製剤包装体は、３ｃｍ以上の幅のある長方形の袋状であり、通常の判断能力があれば、一見してそのまま飲むようにしたものでないことが分かる。また、間違えてそのまま飲もうとしても、口の中に入れにくい大きさ・形状であり、しかも、厚みがあって意図的に曲げようとしなければ曲がらないようになっているため、指で一端をつまんだり、両側から挟んだりした程度では折れ曲がらず、長方形の板状の形状が維持されるので、折り曲げて小さくなった状態で誤飲されることも防止できる。
【００１７】
さらに、この固形製剤包装体は、上被覆部１と下被覆部２がイージーオープン性を有するため、ヒートシールされた周縁５における上被覆部１と下被覆部２を剥離することにより容易に開封でき、固形製剤４を迅速に取り出すことができ、暗い場所でも非常に取り扱いやすくなっている。
【００１８】
また、この固形製剤包装体の一辺の縁部には、収容部３の周縁５の外側に、剥離用つまみ部６を設けている。この剥離用つまみ部６においては、上被覆部１と下被覆部２がシールされておらず、使用者は、その上被覆部１をつまんで反対側に引っ張ることにより、すばやく簡単にヒートシールされた周縁５における上被覆部１と下被覆部２を剥離させ、開封することができる。
【００１９】
以上がこの発明の好適な実施形態であるが、この発明は上述の実施形態の構成に限定されるものではなく、形状、寸法、材質等を適宜変更して実施することができる。
【符号の説明】
【００２０】
１  上被覆部
２  下被覆部
３  収容部
４  固形製剤
５  収容部の周縁
６  剥離用つまみ部
【図１】
2011037522.tif 000003
【図２】
2011037522.tif 000004
【図３】
2011037522.tif 000005